(57)【要約】【課題】タイトパッキンの逆止弁の形状の工夫により、流路抵抗を小さくして吸込仕事率の低下を防ぎ、より高性能な電気掃除機を実現する。【解決手段】ゴム等の弾性体のタイトパッキン２は、筒状１７の中央に分割の中心１３をタイトパッキン２の中心より上方にずらして放射状に分割された逆止弁１２、１５、１６、１８を有して形成されている。ホースパイプ１４を掃除機本体に差込んだとき、分割された逆止弁を押し広げ集塵室内に装着した集塵用紙パック７内に入り込む。分割された逆止弁は、集塵用紙パック７内に上方の逆止弁１５は短く、逆止弁１８はその次に短く、逆止弁１２は長く、下方の逆止弁１６はより長い状態となり、上方の逆止弁１５、１８は自重により垂れ下がる程度であり、その流路抵抗は小さく、下方の逆止弁１２、１６は自重により倒れ易いために流路抵抗が小さくなるので、その流路抵抗は小さくなり仕事率低下を防ぐことができる。【選択図】    図４
2009136312.tif 000002
【特許請求の範囲】
【請求項１】
電気掃除機の掃除機本体は、本体下ケースの前部にタイトパッキンを挟持する本体前ケ−スと、上部の本体上ケースと、該本体上ケースに回動自在に取り付けたダストボックスカバーを配置して形成した集塵室からなり、前記弾性体のタイトパッキンは、筒状の中央に分割の中心をタイトパッキンの中心より上方にずらすことにより、放射状に分割された複数の逆止弁を有して形成され、ホースパイプを掃除機本体に挿入時、押し広げられた前記分割された複数の逆止弁が前記集塵室の集塵用紙パック内に入り込む長さは、上方の逆止弁の長さを短く、下方の逆止弁の長さを長くなるように構成したことを特徴とする電気掃除機。
【請求項２】
電気掃除機の掃除機本体は、本体下ケースの前部にタイトパッキンを挟持する本体前ケ−スと、上部の本体上ケースと、該本体上ケースに回動自在に取り付けたダストボックスカバーを配置して形成した集塵室からなり、前記弾性体のタイトパッキンは、筒状の中央に分割の中心をタイトパッキンの中心よりずらすことなく、かつ下方の逆止弁の先端形状を縦方向に異形にして、放射状に分割された複数の逆止弁を有して形成され、ホースパイプを掃除機本体に挿入時、押し広げられた前記分割された複数の逆止弁が前記集塵室の集塵用紙パック内に入り込む長さは、上方の逆止弁の長さを短く、下方の先端形状が異形な逆止弁の長さを長くなるように構成したことを特徴とする電気掃除機。
【請求項３】
電気掃除機の掃除機本体は、本体下ケースの前部にタイトパッキンを挟持する本体前ケ−スと、上部の本体上ケースと、該本体上ケースに回動自在に取り付けたダストボックスカバーを配置して形成した集塵室を有し、掃除機本体内に電動送風機とコードリール収納室を並設した電気掃除機において、前記弾性体のタイトパッキンは、筒状の中央に分割の中心をタイトパッキンの中心より左右方向の片側にずらすことにより、放射状に分割された複数の逆止弁を有して形成され、ホースパイプを掃除機本体に挿入時、押し広げられた前記分割された複数の逆止弁が前記集塵室の集塵用紙パック内に入り込む長さは、コードリール収納室側の逆止弁は長く、電動送風機側の逆止弁は短くなるように構成したことを特徴とする電気掃除機。
【請求項４】
電気掃除機の掃除機本体は、本体下ケースの前部にタイトパッキンを挟持する本体前ケ−スと、上部の本体上ケースと、該本体上ケースに回動自在に取り付けたダストボックスカバーを配置して形成した集塵室を有し、掃除機本体内に電動送風機とコードリール収納室を並設した電気掃除機において、前記弾性体のタイトパッキンは、放射状に分割された複数の逆止弁を有し、該逆止弁の先端形状を横方向に異形に形成し、ホースパイプを掃除機本体に挿入時、押し広げられた前記分割された複数の逆止弁が前記集塵室の集塵用紙パック内に入り込む長さは、コードリール収納室側の先端形状が異形な逆止弁は長く、電動送風機側の逆止弁は短くなるように構成したことを特徴とする電気掃除機。
【請求項５】
前記ホースパイプは集塵室内に突出しない構成としたことを特徴とする請求項１乃至請求項４に記載の電気掃除機。
【請求項６】
下方の逆止弁を上方の逆止弁を撓みやすく形成したことを特徴とする請求項１または請求項２に記載の電気掃除機。
【請求項７】
下方の逆止弁を上方の逆止弁を撓みやすく形成し、かつ下方の逆止弁の筒状部との連結幅を、上方の逆止弁の筒状部との連結幅より狭く形成したことを特徴とする請求項１または請求項２に記載の電気掃除機。
【請求項８】
コードリール収納室側の逆止弁を電動送風機側の逆止弁より撓みやすく形成したことを特徴とする請求項３または請求項４に記載の電気掃除機。
【請求項９】
コードリール収納室側の逆止弁を電動送風機側の逆止弁より撓みやすく形成し、かつコードリール収納室側の逆止弁の筒状部との連結幅を、電動送風機側の逆止弁の筒状部との連結幅より狭く形成したことを特徴とする請求項３または請求項４に記載の電気掃除機。
【発明の詳細な説明】
【技術分野】
【０００１】
本発明は、集塵室内に設けた集塵袋と係合する、逆止弁を有しゴム等の弾性体からなるタイトパッキンを集塵室内の壁面に設けた電気掃除機に関するものである。
【背景技術】
【０００２】
一般的な電気掃除機の掃除機本体の概観は、図１６の斜視図、図１７の側面図、図１８の正面図に示すように、本体下ケース１の前部は本体前ケ−ス３とからなり、上部に本体上ケース４に回動自在に取り付けたダストボックスカバ−５が配置されて構成されている。また、前後にスムーズな移動性を確保するために、前輪及び後輪を夫々有している。
【０００３】
この種の電気掃除機を運転させると、本体に備えられた電動送風機の駆動により、床用吸込具の吸込部から床面上の空気が吸い込まれ、その吸気が、接続ホースを通って本体に形成された吸込口から本体内に吸い込まれる。本体内には、吸込口に連通し、紙パックを収容するための集塵室が形成されていて、吸込口から吸い込まれた吸気が集塵室を通過する過程で、その吸気に含まれる塵埃が紙パックにより捕獲され、集塵室に形成された排出口から排出されるようになっている。集塵室の排出口から排出された吸気は、本体内を通過して、本体の背面などに形成された排気口から機外に排出される。
【０００４】
掃除が終えて、掃除機本体から接続ホースを取外すとき、集塵室の紙パックでなる集塵袋から塵埃が逆流して外部にこぼれることがあるので、それを防ぐために、通常は、掃除機本体と接続ホースの係合部に、均等に分割されたゴム等の弾性体のタイトパッキンが設けられている。
【０００５】
その一例として、図１９に均等に分割されたゴム等の弾性体のタイトパッキンの斜視図を示す。図において、タイトパッキン２は、集塵袋の開口穴を有する台紙と対向して本体下ケース１に取り付けられ、開口穴１０に連通すると共に筒状１７の中央に放射状に均等分割された逆止弁１２を有して形成されている。
【０００６】
図２０に、このタイトパッキン２を装着した掃除機本体の縦断面図を示す。本体下ケース１前部は、タイトパッキン２を挟持する本体前ケ−ス３とからなり、上部に本体上ケース４に回動自在に取り付けたダストボックスカバー５を配置し、集塵室６を形成している。７は集塵袋としての集塵用紙パックであり、集塵用紙パック７は、通気性を有する袋部分８と、この袋部分８の開口部９に取り付けられる中央に開口穴１０を有する台紙１１とで形成される。
【０００７】
台紙１１と対向して本体下ケース１に、該開口穴１０に連通すると共に筒状の中央に、図１９に示す、放射状に均等分割された逆止弁１２を有し、ゴム等の弾性体からなるタイトパツキン２が取り付けられる。ホースパイプ１４を差込んだとき、この放射状に分割された逆止弁１２は、集塵用紙パック７内に入り込んだ状態となる。
【０００８】
このようなタイトパツキン２を設けた電気掃除機においては、ホースパイプ１４の接続時、８枚の逆止弁１２を押し広げ集塵室内に装着した集塵用紙パック７と連通している。そして、集塵用紙パックの取り出しを容易にするためホ−スパイプ１４をタイトパッキン２内に収まるように短くすることで取り出しは容易となるが、このことが流路抵抗となり吸込仕事率が低下していた。
【０００９】
また、掃除が終えて電気掃除機を運転したままホ−スパイプ１４をタイトパッキン２より急に抜くと、逆止弁１２が集塵室内に吸入される風の流れに抗して元に復帰しようとする。その結果、近接する逆止弁１２同志が共振を起こし、異常音を発生させ使用者に不快感を与える原因となっていた。この逆止弁による異常音を改善するものとしては既に提案されている。（例えば、特許文献１参照）。
【特許文献１】特開平５−２６９０６２号公報
【発明の開示】
【発明が解決しようとする課題】
【００１０】
従来の電気掃除機のように、掃除機本体と接続ホースの係合部に、均等に分割されたゴム等の弾性体のタイトパッキンが設けられ、集塵用紙パックの取り出しを容易にするためホ−スパイプをタイトパッキン内に収まるように短くしたものは流路抵抗となり吸込仕事率が低下していた。そこで本発明は、タイトパッキンの逆止弁の形状を工夫することにより、流路抵抗を小さくして吸込仕事率の低下を防ぎ、より高性能な電気掃除機を実現できる電気掃除機を提供することを目的とする。
【課題を解決するための手段】
【００１１】
上記課題を解決するために、本発明の請求項１に係る電気掃除機は、電気掃除機の掃除機本体は、本体下ケースの前部にタイトパッキンを挟持する本体前ケ−スと、上部の本体上ケースと、該本体上ケースに回動自在に取り付けたダストボックスカバーを配置して形成した集塵室とからなり、前記弾性体のタイトパッキンは、筒状の中央に分割の中心をタイトパッキンの中心より上方にずらすことにより、放射状に分割された複数の逆止弁を有して形成され、ホースパイプを掃除機本体に挿入時、押し広げられた前記分割された複数の逆止弁が前記集塵室の集塵用紙パック内に入り込む長さは、上方の逆止弁の長さを短く、下方の逆止弁の長さを長くなるように構成した。
【００１２】
本発明の請求項２に係る電気掃除機は、電気掃除機の掃除機本体は、本体下ケースの前部にタイトパッキンを挟持する本体前ケ−スと、上部の本体上ケースと、該本体上ケースに回動自在に取り付けたダストボックスカバーを配置して形成した集塵室とからなり、前記弾性体のタイトパッキンは、筒状の中央に分割の中心をタイトパッキンの中心よりずらすことなく、かつ下方の逆止弁の先端形状を縦方向に異形にして放射状に分割された複数の逆止弁を有して形成され、ホースパイプを掃除機本体に挿入時、押し広げられた前記分割された複数の逆止弁が前記集塵室の集塵用紙パック内に入り込む長さは、上方の逆止弁の長さを短く、下方の先端形状が異形な逆止弁の長さを長くなるように構成した。
【００１３】
こうして、上方の逆止弁は長さが短いので自重により垂れ下がる程度であり、その流路抵抗は小さく、下方の逆止弁の長さは長くなり、自重により倒れ易いために流路抵抗が小さくなるので、その流路抵抗は小さくなり仕事率低下を防ぐことができる。
【００１４】
本発明の請求項３に係る電気掃除機は、電気掃除機の掃除機本体は、本体下ケースの前部にタイトパッキンを挟持する本体前ケ−スと、上部の本体上ケースと、該本体上ケースに回動自在に取り付けたダストボックスカバーを配置して形成した集塵室を有し、掃除機本体内に電動送風機とコードリール収納室を並設した電気掃除機において、前記弾性体のタイトパッキンは、筒状の中央に分割の中心をタイトパッキンの中心より左右方向の片側にずらすことにより、放射状に分割された複数の逆止弁を有して形成され、ホースパイプを掃除機本体に挿入時、押し広げられた前記分割された複数の逆止弁が前記集塵室の集塵用紙パック内に入り込む長さは、コードリール収納室側の逆止弁は長く、電動送風機側の逆止弁は短くなるように構成した。
【００１５】
本発明の請求項４に係る電気掃除機は、電気掃除機の掃除機本体は、本体下ケースの前部にタイトパッキンを挟持する本体前ケ−スと、上部の本体上ケースと、該本体上ケースに回動自在に取り付けたダストボックスカバーを配置して形成した集塵室を有し、掃除機本体内に電動送風機とコードリール収納室を並設した電気掃除機において、前記弾性体のタイトパッキンは、放射状に分割された複数の逆止弁を有し、該逆止弁の先端形状を横方向に異形に形成し、ホースパイプを掃除機本体に挿入時、押し広げられた前記分割された複数の逆止弁が前記集塵室の集塵用紙パック内に入り込む長さは、コードリール収納室側の先端形状が異形な逆止弁は長く、電動送風機側の逆止弁は短くなるように構成した。
【００１６】
こうして、タイトパッキンの逆止弁の長さを電動送風機の配置と反対側を長く、電動送風機の配置と同じ側を短くすることで、逆止弁が長いほうは流路抵抗大きく、逆止弁が短い方は流路抵抗が小さいので、電動送風機の吸込口の方に向かうように空気の流路を変える作用がある。そのため、仕事率低下を防止する効果がある。
【００１７】
本発明の請求項５に係る電気掃除機は、請求項１乃至請求項４記載の電気掃除機において、前記ホースパイプは集塵室内に突出しない構成とした。
【００１８】
こうして、ホースパイプは筒状の中に留まるために、集塵用紙パック内に入り込むことなく、流路抵抗にも影響を与えない。また、ホースパイプを差し込んだままで、集塵用紙パックの取り除きを容易にすることができる。
【００１９】
本発明の請求項６に係る電気掃除機は、請求項１または請求項２に記載の電気掃除機において、下方の逆止弁を上方の逆止弁を撓みやすく形成した。
【００２０】
本発明の請求項７に係る電気掃除機は、請求項１または請求項２に記載の電気掃除機において、下方の逆止弁を上方の逆止弁を撓みやすく形成し、かつ下方の逆止弁の筒状部との連結幅を、上方の逆止弁の筒状部との連結幅より狭く形成した。
【００２１】
こうして、下方の逆止弁はより撓みやすくなり、自重により倒れ易いために流路抵抗が小さくなるので、その流路抵抗は小さくなり仕事率の低下を防ぐことができる。
【００２２】
本発明の請求項８に係る電気掃除機は、請求項３または請求項４に記載の電気掃除機において、コードリール収納室側の逆止弁を電動送風機側の逆止弁より撓みやすく形成した。
【００２３】
本発明の請求項９に係る電気掃除機は、請求項３または請求項４に記載の電気掃除機において、コードリール収納室側の逆止弁を電動送風機側の逆止弁より撓みやすく形成し、かつコードリール収納室側の逆止弁の筒状部との連結幅を、電動送風機側の逆止弁の筒状部との連結幅より狭く形成した。
【００２４】
こうして、タイトパッキンのコードリール収納室側の逆止弁を電動送風機側の逆止弁より撓みやすく形成し、かつコードリール収納室側の逆止弁の筒状部との連結幅を、電動送風機側の逆止弁の筒状部との連結幅より狭くすることにより、空気の流路を変える作用がより効果的になり、仕事率の低下を防止する効果がある。
【発明の効果】
【００２５】
以上のように、本発明の電気掃除機は、上方の逆止弁は長さが短いので自重により垂れ下がる程度であり、その流路抵抗は小さく、下方の逆止弁の長さは長くなり、自重により倒れ易いために流路抵抗が小さくなるので、その流路抵抗は小さくなり仕事率低下を防ぐことができる。
【００２６】
また、タイトパッキンの逆止弁の長さを電動送風機の配置と反対側を長く、電動送風機の配置と同じ側を短くすることで、逆止弁が長いほうは流路抵抗大きく、逆止弁が短い方は流路抵抗が小さいので、電動送風機の吸込口の方に向かうように空気の流路を変える作用があるため、仕事率低下を防止する効果がある。
【発明を実施するための最良の形態】
【００２７】
図１に、ホ−スパイプを接続していない状態での、本発明に共通する電気掃除機の掃除機本体にタイトパッキンを装着した縦断面図を示す。
【００２８】
ゴム等の弾性体のタイトパッキン２は、筒状１７の中央に放射状に分割された逆止弁１２を有して形成されており、７は集塵袋としての集塵用紙パックであり、その開口穴１０を有する台紙１１と対向して本体下ケース１に取り付けられ開口穴１０に連通する。
【００２９】
本体下ケース１前部は、タイトパッキン２を挟持する本体前ケ−ス３とからなり、上部に本体上ケース４に回動自在に取り付けたダストボックスカバー５を配置し、集塵室６を形成している。集塵用紙パック７は、通気性を有する袋部分８と、この袋部分８の開口部９に取り付けられる。
【００３０】
本発明の第１の実施形態を図２、図３、図４を参照して説明する。図２はタイトパッキン２の第１形態を示すものであり、ゴム等の弾性体のタイトパッキン２は、筒状１７の中央に分割の中心１３をタイトパッキン２の中心より上方にずらして定めることにより、放射状に分割された逆止弁１２、１５、１６、１８を有して形成されており、分割された逆止弁の中心１３からの長さは、逆止弁１６＞逆止弁１２＞逆止弁１８＞逆止弁１５の順となる。また、下方の逆止弁を上方の逆止弁を撓みやすく形成し、かつ下方の逆止弁の筒状部との連結幅を、上方の逆止弁の筒状部との連結幅より狭く形成する。これにより、下方の逆止弁がより自重により倒れ易すくなる。
【００３１】
図３はタイトパッキン２を掃除機本体に取付けた状態の前面図である。図４に、このタイトパッキン２を掃除機本体（図１に示す）に装着した縦断面図を示す。ホースパイプ１４を掃除機本体に差込んだとき、分割された８枚の逆止弁を押し広げ集塵室内に装着した集塵用紙パック７内に入り込んだ状態となる。
【００３２】
前記放射状に分割された逆止弁は、集塵用紙パック７内に入り込む長さが、上方の逆止弁１５は短く、逆止弁１８はその次に短く、逆止弁１２は長く、下方の逆止弁１６はより長い状態となる。これにより、上方の逆止弁１５、１８は長さが短いので自重により垂れ下がる程度であり、その流路抵抗は小さく、下方の逆止弁１２、１６の長さは長くなり、自重により倒れ易いために流路抵抗が小さくなるので、その流路抵抗は小さくなり仕事率低下を防ぐことができる。
【００３３】
次に、本発明の第２の実施形態を図５、図６、図７を参照して説明する。ここで、図１０、図１１と同じものには同一符号を付している。図５はタイトパッキン２の第２形態を示すものであり、ゴム等の弾性体のタイトパッキン２は、筒状１７の中央のタイトパッキン２の中心をずらすことなく、放射状に分割された逆止弁１２、１５、１６、１８を形成し、しかも逆止弁１６の先端形状を縦方向に異形となるように形成する。また、下方の逆止弁を上方の逆止弁を撓みやすく形成し、かつ下方の逆止弁の筒状部との連結幅を、上方の逆止弁の筒状部との連結幅より狭く形成する。これにより、下方の逆止弁がより自重により倒れ易すくなる。
【００３４】
図６はタイトパッキン２を掃除機本体に取付けた状態の前面図である。図６に、このタイトパッキン２を掃除機本体に装着した縦断面図を示す。ホースパイプ１４を掃除機本体に差込んだとき、分割された８枚の逆止弁を押し広げ集塵室内に装着した集塵用紙パック７内に入り込んだ状態となる。そしてホースパイプ１４を掃除機本体に差込んだとき、前記放射状に分割された逆止弁は、集塵用紙パック７内に入り込む逆止弁の長さが、上方の逆止弁１５と横方の逆止弁１２、１８は短く、下方の先端形状が異形な逆止弁１６は長い状態となる。
【００３５】
これにより、上方の逆止弁１５は長さが短いので自重により垂れ下がる程度であり、その流路抵抗は小さく、横方の逆止弁１２、１８も短くその流路抵抗は小さい。下方の逆止弁１６の長さは長くなり、自重により倒れ易いために流路抵抗が小さくなるので、その流路抵抗は小さくなり仕事率低下を防ぐことができる。
【００３６】
次に、本発明の第３の実施形態を図８、図９、図１０、図１１を参照して説明する。この実施形態は、電気掃除機の掃除機本体内にコードリール収納室と電動送風機を並設した電気掃除機を対象とするものである。
【００３７】
図８はタイトパッキン２の第３形態を示すものであり、ゴム等の弾性体のタイトパッキン２は、タイトパッキン２は、集塵袋の開口穴を有する台紙と対向して本体下ケース１に取り付けられ、開口穴１０に連通すると共に筒状１７の中央に、分割の中心１３を掃除機本体から見て右方にずらして定め、放射状に分割された逆止弁１２を有して形成されている。また、コードリール収納室側の逆止弁を電動送風機側の逆止弁より撓みやすく形成し、かつコードリール収納室側の逆止弁の筒状部との連結幅を、電動送風機側の逆止弁の筒状部との連結幅より狭く形成されている。
【００３８】
筒状１７の中央に分割の中心１３をタイトパッキン２の中心より右方にずらして定めることにより、放射状に分割された逆止弁１２、１５、１６、１８が形成され、分割された逆止弁の中心１３からの長さは、逆止弁１５＞逆止弁１２＞逆止弁１８＞逆止弁１６の順となる。そして、このタイトパッキン２を掃除機本体に取付けた状態の前面図を図９に示めしている。
【００３９】
図１０にタイトパッキン２を装着した掃除機本体の縦断面図を示す。図１１はその時の正面断面図である。本体下ケース１前部は、タイトパッキン２を挟持する本体前ケ−ス３とからなり、上部に本体上ケース４に回動自在に取り付けたダストボックスカバー５を配置し、集塵室６を形成している。７は集塵袋としての集塵用紙パックであり、該集塵用紙パック７は、通気性を有する袋部分８と、この袋部分８の開口部９に取り付けられる中央に開口穴１０を有する台紙１１とで形成される。
【００４０】
前記集塵用紙パック７の後方の空間には、掃除機本体の前面からみて右方に電動送風機１９が、左方にコードリール収納室２０が並設されている。そして、電動送風機１９はその中心軸が掃除機本体の中心軸より前面からみて右方に位置し、コードリール収納室２０は掃除機本体の中心軸より左方に位置されるように配置される。なお、コードリール収納室２０は掃除機本体の中心軸より右方に位置されるように配置してもよい。この場合のタイトパッキン２の分割の中心１３を中心より左方にずらして定めることになる。また、電動送風機１９とコードリール収納室２０の配置を、掃除機本体の前面からみて左方に電動送風機１９が、右方にコードリール収納室２０が並設するようにしても良い。その時はタイトパッキンの逆止弁の分割の中心１３を中心より右方にずらして定めることになる。
【００４１】
この状態でホースパイプ１４を掃除機本体に差込んだとき、分割された８枚の逆止弁を押し広げ集塵室内に装着した集塵用紙パック７内に入り込んだ状態となる。前記放射状に分割された逆止弁は、集塵用紙パック７内に入り込む長さが、左方の逆止弁１５は長く、逆止弁１２はその次に長く、逆止弁１８と逆止弁１６は順次に短い状態に押し広げられる。
【００４２】
また、コードリール収納室側の逆止弁を電動送風機側の逆止弁より撓みやすく形成し、かつコードリール収納室側の逆止弁の筒状部との連結幅を、電動送風機側の逆止弁の筒状部との連結幅より狭く形成している。これにより、吸引された塵埃を含んだ空気は左方の長い逆止弁１５、その次に長い逆止弁１２により、矢印で示すように、電動送風機１９の吸込口の方に向かうような経路を通るので、スムーズに吸引される。
【００４３】
このように、本発明は、タイトパッキンの逆止弁の長さを電動送風機１９の配置と反対側を長く、電動送風機１９の配置と同じ側を短くすることで、逆止弁が長いほうは流路抵抗大きく、逆止弁が短い方は流路抵抗が小さいので、電動送風機１９の吸込口の方に向かうように空気の流路を変える作用がある。そのため、仕事率低下を防止する効果がある。
【００４４】
次に、本発明の第４の実施形態を図１２、図１３、図１４、図１５を参照して説明する。この実施形態も電気掃除機の掃除機本体内にコードリール収納室と電動送風機を並設した電気掃除機を対象とするものである。ここで、図１０、図１１と同じものには同一符号を付している。
【００４５】
図１２はタイトパッキン２の第４形態を示すものであり、ゴム等の弾性体のタイトパッキン２は、筒状１７の中央のタイトパッキン２の中心をずらすことなく、放射状に分割された逆止弁１２、１５、１６、１８を形成し、しかも左方向の逆止弁１５の先端形状を異形となるように形成する。また、コードリール収納室側の逆止弁を電動送風機側の逆止弁より撓みやすく形成し、かつコードリール収納室側の逆止弁の筒状部との連結幅を、電動送風機側の逆止弁の筒状部との連結幅より狭く形成されている。
【００４６】
また、電動送風機１９とコードリール収納室２０の配置を、掃除機本体の前面からみて左方に電動送風機１９が、右方にコードリール収納室２０が並設するようにしても良い。その時はタイトパッキンの右方向の逆止弁１５の先端形状を異形となるように形成することになる。
【００４７】
図１３はタイトパッキン２を掃除機本体に取付けた状態の前面図である。図１４に、このタイトパッキン２を掃除機本体に装着した縦断面図を示す。ホースパイプ１４を掃除機本体に差込んだとき、分割された８枚の逆止弁を押し広げ集塵室内に装着した集塵用紙パック７内に入り込んだ状態となる。そしてホースパイプ１４を掃除機本体に差込んだとき、前記放射状に分割された逆止弁は、集塵用紙パック７内に入り込む逆止弁の長さが、左方の先端形状が異形な逆止弁１５は長く、逆止弁１２と逆止弁１６、１８は短かい状態となる。
【００４８】
これにより、吸引された塵埃を含んだ空気は左方の長い逆止弁１５と他の短い逆止弁１２と逆止弁１６、１８の作用により、矢印で示すように、電動送風機１９の吸込口の方に向かうような経路を通るので、スムーズに吸引される。
【００４９】
このように、本発明は、タイトパッキンの逆止弁の長さを電動送風機１９の配置と反対側を長く、電動送風機１９の配置と同じ側を短くすることで、逆止弁が長いほうは流路抵抗大きく、逆止弁が短い方は流路抵抗が小さいので、空気の流路を変える作用がある。そのため、仕事率低下を防止する効果がある。
【００５０】
上記の説明では、電動送風機１９の配置を掃除機本体の前面から見て右側に、コードリール収納室２０を正面から見て左側に配置した実施態様で説明したが、電動送風機１９の配置を掃除機本体の前面から見て左側に、コードリール収納室２０を正面から見て右側に配置した場合、また、電動送風機１９の配置を掃除機本体の前面から見て上側に、コードリール収納室２０を正面から見て下側に配置した場合にも、本発明の基本技術の範囲で適用できる。
【図面の簡単な説明】
【００５１】
【図１】本発明に共通する電気掃除機の掃除機本体の縦断面図。
【図２】本発明のタイトパッキンの第１形態図。
【図３】本発明のタイトパッキンを装着した掃除機本体の前面図。
【図４】本発明のタイトパッキンを装着した掃除機本体の縦断面図。
【図５】本発明のタイトパッキンの第２形態図。
【図６】本発明のタイトパッキンを装着した掃除機本体の前面図。
【図７】本発明のタイトパッキンを装着した掃除機本体の縦断面図。
【図８】本発明のタイトパッキンの第３形態図。
【図９】本発明のタイトパッキンを装着した掃除機本体の前面図。
【図１０】本発明のタイトパッキンを装着した掃除機本体の縦断面図。
【図１１】本発明のタイトパッキンを装着した掃除機本体の正面断面図。
【図１２】本発明のタイトパッキンの第４形態図。
【図１３】本発明のタイトパッキンを装着した掃除機本体の前面図。
【図１４】本発明のタイトパッキンを装着した掃除機本体の縦断面図。
【図１５】本発明のタイトパッキンを装着した掃除機本体の正面断面図。
【図１６】電気掃除機の掃除機本体の斜視図。
【図１７】電気掃除機の掃除機本体の側面図。
【図１８】電気掃除機の掃除機本体の正面断面図。
【図１９】従来の均等に分割された弾性体のタイトパッキンの斜視図。
【図２０】従来の掃除機本体の縦断面図。
【符号の説明】
【００５２】
１            本体下ケース
２            タイトパッキン
３            本体前ケ−ス
４            本体上ケース
５            ダストボックスカバー
６            集塵室
７            集塵用紙パック
８            袋部分
９            袋部分の開口部
１０          開口穴
１１          台紙
１２          逆止弁
１３          分割の中心
１４          ホースパイプ
１５          逆止弁
１６          逆止弁
１７          筒状
１８          逆止弁
１９          電動送風機
２０          コードリール収納室
【図１】
2009136312.tif 000003
【図２】
2009136312.tif 000004
【図３】
2009136312.tif 000005
【図４】
2009136312.tif 000006
【図５】
2009136312.tif 000007
【図６】
2009136312.tif 000008
【図７】
2009136312.tif 000009
【図８】
2009136312.tif 000010
【図９】
2009136312.tif 000011
【図１０】
2009136312.tif 000012
【図１１】
2009136312.tif 000013
【図１２】
2009136312.tif 000014
【図１３】
2009136312.tif 000015
【図１４】
2009136312.tif 000016
【図１５】
2009136312.tif 000017
【図１６】
2009136312.tif 000018
【図１７】
2009136312.tif 000019
【図１８】
2009136312.tif 000020
【図１９】
2009136312.tif 000021
【図２０】
2009136312.tif 000022